(57)【要約】【課題】ペン先のボールの直径を外部から容易に識別することが可能な多芯筆記具及び多芯筆記具用レフィルを提供する。【解決手段】軸筒２内に複数のレフィル３を前後方向に移動可能に収容し、各々のレフィル３のペン先４を択一的に軸筒２の前端孔２１より出没可能に構成した多芯筆記具であって、各々のレフィル３が、前端に回転可能なボールを有するボールペンチップからなるペン先４と、ペン先４の後部を保持するペン先ホルダー５と、ペン先ホルダー５が固着されるインキ収容管６とを備え、各々のレフィル３のペン先４のボールの直径が異なり、各々のレフィル３のペン先ホルダー５の外面の形状が、ボールの直径に対応して異なり、軸筒２の前部に、各々のレフィル３のペン先ホルダー５が外部より視認可能な透視部２５を設ける。【選択図】  図１
2012091474.tif 000002
【特許請求の範囲】
【請求項１】
軸筒内に複数のレフィルを前後方向に移動可能に収容し、前記各々のレフィルのペン先を択一的に軸筒の前端孔より出没可能に構成した多芯筆記具であって、
前記各々のレフィルが、前端に回転可能なボールを有するボールペンチップからなるペン先と、前記ペン先の後部を保持するペン先ホルダーと、前記ペン先ホルダーが固着されるインキ収容管とを備え、前記各々のレフィルのペン先のボールの直径が異なり、前記各々のレフィルのペン先ホルダーの外面の形状が、前記ボールの直径に対応して異なり、前記軸筒の前部に、各々のレフィルのペン先ホルダーが外部より視認可能な透視部を設けたことを特徴とする多芯筆記具。
【請求項２】
軸筒の前部に、ペン先突出状態のレフィルのペン先ホルダーが外部より視認可能な透視部を設けた請求項１記載の多芯筆記具。
【請求項３】
軸筒の前部に、ペン先没入状態のレフィルのペン先ホルダーが外部より視認可能な透視部を設けた請求項１または２記載の多芯筆記具。
【請求項４】
前記各々のレフィルのペン先ホルダーの外面に、環状凸部または環状凹部を設け、前記環状凸部または環状凹部の数が前記ボールの直径に対応して異なる請求項１乃至３の何れかに記載の多芯筆記具。
【請求項５】
前記各々のレフィルのペン先ホルダーの外面に、環状段部を設け、前記環状段部の数が前記ボールの直径に対応して異なる請求項１乃至４の何れかに記載の多芯筆記具。
【請求項６】
使用時に軸筒内に複数本が収容され、該軸筒の前端孔より各々のペン先を択一的に出没可能に構成した多芯筆記具用レフィルであって、
軸筒内に収容される前の状態において、前端に回転可能なボールを有するボールペンチップからなるペン先と、前記ペン先の後部を保持するペン先ホルダーと、前記ペン先ホルダーが固着されるインキ収容管とを備え、前記ペン先の前端のボールの直径が異なる複数種のレフィルからなり、前記各々のレフィルのペン先ホルダーの外面の形状が、前記ボールの直径に対応して異なることを特徴とする多芯筆記具用レフィル。
【請求項７】
前記各々のレフィルのペン先ホルダーの外面に、環状凸部または環状凹部を設け、前記環状凸部または環状凹部の数が前記ボールの直径に対応して異なる請求項６記載の多芯筆記具用レフィル。
【請求項８】
前記各々のレフィルのペン先ホルダーの外面に、環状段部を設け、前記環状段部の数が前記ボールの直径に対応して異なる請求項６記載の多芯筆記具用レフィル。
【発明の詳細な説明】
【技術分野】
【０００１】
本発明は、多芯筆記具及び多芯筆記具用レフィルに関する。軸筒内に複数のレフィルを前後方向に移動可能に収容し、前記各々のレフィルのペン先を択一的に軸筒の前端孔より出没可能に構成した多芯筆記具及び多芯筆記具用レフィルに関する。
【背景技術】
【０００２】
従来、この種の多芯筆記具において、特許文献１には、「軸筒の先端開口からペン先を交互に突出させる多数の筆記要素を軸筒内に収容し、該筆記要素のペン先に転写ボールを抱持されてなる筆記具に於いて、各筆記要素の各転写ボールのボール径を変えたことを特徴とする筆記具。」及び「各筆記要素のペン先を軸筒の先端開口から交互に突出させる各筆記要素の操作部に、各筆記要素のボール径の表示部を施してなることを特徴とする筆記具。」が開示されている。
【先行技術文献】
【特許文献】
【０００３】
【特許文献１】実用新案登録第３０４９６６６号公報
【発明の概要】
【発明が解決しようとする課題】
【０００４】
前記従来の多芯筆記具において、操作部に設けたボール径の表示部が文字や数字からなるため、前記表示部は、視認する向きや角度によっては、識別することが容易ではない。
【０００５】
本発明は前記従来の問題点を解決するものであって、ペン先のボールの直径を外部から容易に識別することが可能な多芯筆記具及び多芯筆記具用レフィルを提供しようとするものである。
【課題を解決するための手段】
【０００６】
［１］本願の第１の発明は、軸筒２内に複数のレフィル３を前後方向に移動可能に収容し、前記各々のレフィル３のペン先４を択一的に軸筒２の前端孔２１より出没可能に構成した多芯筆記具であって、前記各々のレフィル３が、前端に回転可能なボールを有するボールペンチップからなるペン先４と、前記ペン先４の後部を保持するペン先ホルダー５と、前記ペン先ホルダー５が固着されるインキ収容管６とを備え、前記各々のレフィル３のペン先４のボールの直径が異なり、前記各々のレフィル３のペン先ホルダー５の外面の形状が、前記ボールの直径に対応して異なり、前記軸筒２の前部に、各々のレフィル３のペン先ホルダー５が外部より視認可能な透視部２５を設けたことを要件とする。
【０００７】
前記第１の発明の多芯筆記具１は、前記各々のレフィル３のペン先ホルダー５の外面の形状が、前記ボールの直径に対応して異なり、軸筒２の前部に、各々のレフィル３のペン先ホルダー５が外部より視認可能な透視部２５を設けたことにより、ペン先４のボールの直径を外部から容易に識別することが可能となる。尚、本発明で、ペン先４を択一的に軸筒２の前端孔２１より出没可能に構成する手段としては、例えば、各々のレフィル３に設けた操作体７を軸筒２の側壁より突出させ、該操作体７を軸筒２のスライド孔に沿って前方に押圧するサイドスライド式、または軸筒２を回転操作する回転式等が挙げられる。
【０００８】
［２］本願の第２の発明は、前記第１の発明の多芯筆記具１において、軸筒２の前部に、ペン先突出状態のレフィル３のペン先ホルダー５が外部より視認可能な透視部２５を設けたことを要件とする。
【０００９】
前記第２の発明の多芯筆記具１は、軸筒２の前部に、ペン先突出状態のレフィル３のペン先ホルダー５が外部より視認可能な透視部２５を設けたことにより、筆記時、ペン先ホルダー５の外面を外部から容易に識別することができ、その結果、ペン先４のボールの直径を外部から容易に識別することが可能となる。
【００１０】
［３］本願の第３の発明は、前記第１または第２の発明の多芯筆記具１において、軸筒２の前部に、ペン先没入状態のレフィル３のペン先ホルダー５が外部より視認可能な透視部２５を設けたことを要件とする。
【００１１】
前記第３の発明の多芯筆記具１は、軸筒２の前部に、ペン先没入状態のレフィル３のペン先ホルダー５が外部より視認可能な透視部２５を設けたことにより、ペン先４を突出操作する直前に、ペン先ホルダー５の外面を外部から容易に識別することができ、その結果、ペン先４のボールの直径を外部から容易に識別することが可能となる。
【００１２】
［４］本願の第４の発明は、前記第１乃至第３の何れかの発明の多芯筆記具１において、前記各々のレフィル３のペン先ホルダー５の外面に、環状凸部５１または環状凹部５２を設け、前記環状凸部５１または環状凹部５２の数が前記ボールの直径に対応して異なることを要件とする。
【００１３】
前記第４の発明の多芯筆記具１は、前記各々のレフィル３のペン先ホルダー５の外面に、環状凸部５１または環状凹部５２を設け、前記環状凸部５１または環状凹部５２の数が前記ボールの直径に対応して異なることにより、様々な向きや角度から視認しても、ペン先ホルダー５の外面を容易に識別でき、その結果、ペン先４のボールの直径を外部から容易に識別することが可能となる。
【００１４】
［５］本願の第５の発明は、前記第１乃至第４の何れかの発明の多芯筆記具１において、前記各々のレフィル３のペン先ホルダー５の外面に、環状段部５３を設け、前記環状段部５３の数が前記ボールの直径に対応して異なることを要件とする。
【００１５】
前記第５の発明の多芯筆記具１は、前記各々のレフィル３のペン先ホルダー５の外面に、環状段部５３を設け、前記環状段部５３の数が前記ボールの直径に対応して異なることにより、様々な向きや角度から視認しても、ペン先ホルダー５の外面を容易に識別でき、その結果、ペン先４のボールの直径を外部から容易に識別することが可能となる。
【００１６】
［６］本願の第６の発明は、使用時に軸筒２内に複数本が収容され、該軸筒２の前端孔２１より各々のペン先４を択一的に出没可能に構成した多芯筆記具用レフィル３であって、軸筒２内に収容される前の状態において、前端に回転可能なボールを有するボールペンチップからなるペン先４と、前記ペン先４の後部を保持するペン先ホルダー５と、前記ペン先ホルダー５が固着されるインキ収容管６とを備え、前記ペン先４の前端のボールの直径が異なる複数種のレフィル３からなり、前記各々のレフィル３のペン先ホルダー５の外面の形状が、前記ボールの直径に対応して異なることを要件とする。
【００１７】
前記第６の発明の多芯筆記具用レフィル３は、ペン先４の前端のボールの直径が異なる複数種のレフィル群であっても、前記各々のレフィル３のペン先ホルダー５の外面の形状が、前記ボールの直径に対応して異なることにより、ペン先４のボールの直径を外部から容易に識別することが可能となる。
【００１８】
［７］本願の第７の発明は、前記第６の発明の多芯筆記具用レフィル３において、前記各々のレフィル３のペン先ホルダー５の外面に、環状凸部５１または環状凹部５２を設け、前記環状凸部５１または環状凹部５２の数が前記ボールの直径に対応して異なることを要件とする。
【００１９】
前記第７の発明の多芯筆記具用レフィル３は、前記各々のレフィル３のペン先ホルダー５の外面に、環状凸部５１または環状凹部５２を設け、前記環状凸部５１または環状凹部５２の数が前記ボールの直径に対応して異なることにより、様々な向きや角度から視認しても、ペン先ホルダー５の外面を容易に識別でき、その結果、ペン先４のボールの直径を外部から容易に識別することが可能となる。
【００２０】
［８］本願の第８の発明は、前記第６の発明の多芯筆記具用レフィル３において、前記各々のレフィル３のペン先ホルダー５の外面に、環状段部５３を設け、前記環状段部５３の数が前記ボールの直径に対応して異なることを要件とする。
【００２１】
前記第８の発明の多芯筆記具用レフィル３は、前記各々のレフィル３のペン先ホルダー５の外面に、環状段部５３を設け、前記環状段部５３の数が前記ボールの直径に対応して異なることにより、様々な向きや角度から視認しても、ペン先ホルダー５の外面を容易に識別でき、その結果、ペン先４のボールの直径を外部から容易に識別することが可能となる。
【発明の効果】
【００２２】
本発明の多芯筆記具は、ペン先のボールの直径を外部から容易に識別することが可能となる。
【００２３】
本発明の多芯筆記具用レフィルは、ペン先のボールの直径を外部から容易に識別することが可能となる。
【図面の簡単な説明】
【００２４】
【図１】本発明の多芯筆記具の第１の実施の形態におけるペン先没入時を示す縦断面図である。
【図２】図１の多芯筆記具のペン先突出状態を示す縦断面図である。
【図３】図１のレフィルの正面図であり、（１）が直径０．３ｍｍのボールをペン先に備えたレフィルであり、（２）が直径０．４ｍｍのボールをペン先に備えたレフィルである。
【図４】本発明の多芯筆記具の第２の実施の形態における全ペン先没入時を示す縦断面図である。
【図５】図４の多芯筆記具のペン先突出状態を示す縦断面図である。
【図６】図４のレフィルの正面図であり、（１）が直径０．３ｍｍのボールをペン先に備えたレフィルであり、（２）が直径０．４ｍｍのボールをペン先に備えたレフィルである。
【発明を実施するための形態】
【００２５】
＜第１の実施の形態＞
図１乃至図３に、本発明の多芯筆記具１及びそれに用いるレフィル３（多芯筆記具用レフィル）の第１の実施の形態を示す。
【００２６】
本実施の形態の多芯筆記具１は、軸筒２内に複数本（具体的には２本）のレフィル３が前後方向に移動可能に収容されている。前記各々のレフィル３は、弾発体８（具体的には圧縮コイルスプリング）により、後方に付勢されている。尚、本発明で、前記レフィル３の本数は、２本に限らず、例えば、３本、４本、５本の何れであってもよい。
【００２７】
（軸筒）
前記軸筒２は、先細状の円筒体からなる前軸２ａと、該前軸２ａの後端部と螺合または圧入により取り付けられる円筒状の後軸２ｂとからなる。前記前軸２ａの前端には、レフィル３のペン先４が突出可能な前端孔２１が軸方向に貫設される。前記前軸２ａ及び後軸２ｂは、透明または半透明の合成樹脂（例えば、ポリカーボネイト等）の射出成形により得られる。前記前軸２ａ（軸筒２の前部）が透明または半透明の合成樹脂により、軸筒２の前部に、各々のレフィル３のペン先ホルダー５を外部より視認可能にする透視部２５が設けられる。
【００２８】
前記後軸２ｂの後部の側壁には、複数本（具体的には２本）の前後方向に延びる細長状の窓孔２２が、径方向に貫設される。前記２本の窓孔２２は、互いに、軸線に対して対称の位置に形成される。
【００２９】
また、前記後軸２ｂの窓孔２２の相互間の側壁内面には、前後方向に延びるリブよりなる係止壁部２３が形成され、前記係止壁部２３に、ペン先４が突出した際のレフィル３の操作体７の後端が係止される。
【００３０】
（レフィル）
前記各々のレフィル３は、ボールペンレフィルであり、前端にボールが回転可能に抱持されたペン先４（ボールペンチップ）と、該ペン先４の後端部が圧入固着されるペン先ホルダー５と、該ペン先ホルダー５の後端部が圧入固着されるインキ収容管６とからなる。前記インキ収容管６の内部には、インキと、該インキの消費に伴い前進する高粘度流体からなる追従体とが充填される。
【００３１】
（操作体）
前記各々のレフィル３の後端（即ちインキ収容管６の後端開口部）には、操作体７が取り付けられる。前記各々の操作体７は、後端部に形成され且つ軸筒２の窓孔２２から外部に突出する操作部７１と、該操作部７１の反対側に設けられる後側突出部７３と、該操作部７１の反対側の後側突出部７３の前方に設けられる前側突出部７２と、前端部に形成され且つインキ収容管６の後端開口部に嵌入される嵌入部７４と、該嵌入部７４の後方に形成される鍔部７５とを備える。前記鍔部７５の前面には、弾発体８の後端が係止される。
【００３２】
前記軸筒２（後軸２ｂ）内面には弾発体支持部９が固着される。前記弾発体支持部９には、複数の内孔９１が貫設され、各々の内孔９１に各々のレフィル３のインキ収容管６が遊挿される。前記弾発体支持部９の後面と前記操作体７の鍔部７５との間で弾発体８が支持される。
【００３３】
前記レフィル３のペン先４が没入状態のとき、そのレフィル３に取り付けられた操作体７の後端部は、軸筒２の後端の当接壁部２４に当接される。一方、レフィル３のペン先４が突出状態のとき、そのレフィル３に取り付けられた操作体７の後端部は、軸筒２の内壁に形成された係止壁部２３に係止される。
【００３４】
ペン先没入状態にあるレフィル３の後端に連結された操作体７の前側突出部７２は、その操作体７の操作部７１を前方にスライド操作した際、先にペン先突出状態にある他のレフィル３の後端に連結された操作体７の後側突出部７３と当接され、他のレフィル３のペン先突出状態が解除される。
【００３５】
前記各々の操作体７は、連結されるレフィル３の内部（即ちインキ収容管６内部）に収容されたインキの色と略同じ色に着色される。具体的には、前記操作体７の各々は、連結されるレフィル３のインキ色と略同じ色に着色された合成樹脂の成形体からなる。
【００３６】
（ペン先ボルダー）
本実施の形態では、ペン先４の前端のボールの直径の異なる２種類のレフィル３（具体的には、ペン先４の前端のボールの直径が０．３ｍｍ、０．４ｍｍの２種類のレフィル３）が用意され、軸筒２内に２本のレフィル３が収容される。
【００３７】
前記各々のレフィル３のペン先ホルダー５の外面の形状が、前記ボールの直径に対応して異なる。具体的には、前記各々のレフィル３のペン先ホルダー５の外面に、環状凸部５１または環状凹部５２を設け、前記環状凸部５１または環状凹部５２の数が前記ボールの直径に対応して異なる。
【００３８】
図３に示すように、ペン先４の前端のボールの直径が０．３ｍｍのレフィル３の場合、ホルダー外面の環状凹部５２が３本（環状凸部５１が２本）形成され、ペン先４の前端のボールの直径が０．４ｍｍのレフィル３の場合、ホルダー外面の環状凹部５２が４本（環状凸部５１が３本）形成される。
【００３９】
（本実施の形態の作用）
本実施の形態の多芯筆記具１及び多芯筆記具用レフィル３は、様々な向きや角度から視認しても、ペン先ホルダー５の外面を容易に識別でき、その結果、ペン先４のボールの直径を外部から容易に識別することが可能となる。
【００４０】
＜第２の実施の形態＞
図４乃至図６に本発明の第２の実施の形態を示す。
第２の実施の形態は、第１の実施の形態と異なる点が、ホルダーの外面の形状のみであり、それ以外の構成及び作用効果は第１の実施の形態と共通であるため、説明を省略する。
【００４１】
（ペン先ボルダー）
本実施の形態では、ペン先４の前端のボールの直径の異なる２種類のレフィル３（具体的には、ペン先４の前端のボールの直径が０．３ｍｍ、０．４ｍｍの２種類のレフィル３）が用意され、軸筒２内に２本のレフィル３が収容される。
【００４２】
前記各々のレフィル３のペン先ホルダー５の外面の形状が、前記ボールの直径に対応して異なる。具体的には、前記各々のレフィル３のペン先ホルダー５の外面に、環状段部５３を設け、前記環状段部５３の数が前記ボールの直径に対応して異なる。
【００４３】
図６に示すように、ペン先４の前端のボールの直径が０．３ｍｍのレフィル３の場合、ホルダー外面の環状段部５３が２個形成され、ペン先４の前端のボールの直径が０．４ｍｍのレフィル３の場合、ホルダー外面の環状段部５３が１個形成される。
【００４４】
（本実施の形態の作用）
本実施の形態の多芯筆記具１及び多芯筆記具用レフィル３は、様々な向きや角度から視認しても、ペン先ホルダー５の外面を容易に識別でき、その結果、ペン先４のボールの直径を外部から容易に識別することが可能となる。
【符号の説明】
【００４５】
１  多芯筆記具
２  軸筒
２ａ  前軸
２ｂ  後軸
２１  前端孔
２２  窓孔
２３  係止壁部
２４  当接壁部
２５  透視部
３  レフィル
４  ペン先
５  ペン先ホルダー
５１  環状凸部
５２  環状凹部
５３  環状段部
６  インキ収容管
７  操作体
７１  操作部
７２  前側突出部
７３  後側突出部
７４  嵌入部
７５  鍔部
８  弾発体
９  弾発体支持部
９１  内孔
【図１】
2012091474.tif 000003
【図２】
2012091474.tif 000004
【図３】
2012091474.tif 000005
【図４】
2012091474.tif 000006
【図５】
2012091474.tif 000007
【図６】
2012091474.tif 000008